(57)【要約】【課題】人体に装着されたときに、自動的に電源がオンとなる電子機器を提供すること。【解決手段】ウェアラブルスピーカー１は、近接を検出する近接センサー６と、近接を検出する近接センサー７と、ウェアラブルスピーカー１がスタンバイ状態であるとき、近接センサー６が近接を検出した後、近接センサー７が近接を検出した場合、ウェアラブルスピーカー１の電源をオンとするＳｏＣ２と、を備える。具体的には、ＳｏＣ２は、ウェアラブルスピーカー１がスタンバイ状態であるとき、近接センサー６が、近接を検出した後、近接センサー７が近接を検出し、近接センサー７が、近接を検出しなくなった場合、ウェアラブルスピーカー１の電源をオンとする【選択図】図５
2020127119.tif 000002
【特許請求の範囲】
【請求項１】
近接を検出する第１センサーと、
近接を検出する第２センサーと、
自装置がスタンバイ状態であるとき、前記第１センサーが、近接を検出した後、前記第２センサーが近接を検出した場合、自装置の電源をオンとする制御部と、
を備えることを特徴とする電子機器。
【請求項２】
前記制御部は、自装置がスタンバイ状態であるとき、前記第１センサーが、近接を検出した後、前記第２センサーが近接を検出し、前記第１センサーが、近接を検出しなくなった場合、自装置の電源をオンとすることを特徴とする請求項１に記載の電子機器。
【請求項３】
略Ｕ字形状の筐体をさらに備えることを特徴とする請求項１又は２に記載の電子機器。
【請求項４】
前記第１センサーと、前記第２センサーとは、異なる位置に設けられていることを特徴とする請求項１〜３のいずれか１項に記載の電子機器。
【請求項５】
前記第１センサーは、前記筐体のいずれか一方の先端側に設けられ、
前記第２センサーは、前記筐体の他方の後端側に設けられていることを特徴とする請求項３に記載の電子機器。
【請求項６】
自装置がスタンバイ状態であるとき、前記第１センサーがオンであり、前記第２センサーがオフであり、
前記制御部は、自装置がスタンバイ状態であるとき、前記第１センサーが近接を検出した場合、前記第２センサーをオンとすることを特徴とする請求項１〜５のいずれか１項に記載の電子機器。
【請求項７】
前記制御部は、自装置の電源がオンであるとき、前記第１センサーが、近接を検出した後、前記第２センサーが近接を検出しなくなった場合に、前記第２センサーをオフとし、自装置をスタンバイ状態とすることを特徴とする請求項１〜６のいずれか１項に記載の電子機器。
【請求項８】
前記制御部は、自装置の電源がオンであるとき、前記第１センサーが、近接を検出した後、前記第２センサーが、近接を検出せず、前記第１センサーが、近接を検出しなくなった場合に、前記第２センサーをオフとし、自装置をスタンバイ状態とすることを特徴とする請求項７に記載の電子機器。
【請求項９】
前記制御部は、前記第１センサー及び前記第２センサーが近接を検出する閾値を設定することを特徴とする請求項１〜８のいずれか１項に記載の電子機器。
【請求項１０】
人体に装着されるウェアラブルタイプの電子機器であることを特徴とする請求項１〜９のいずれか１項に記載の電子機器。
【請求項１１】
首に装着されるウェアラブルタイプの電子機器であるとこを特徴とする請求項１〜１０のいずれか１項に記載の電子機器。
【請求項１２】
近接を検出する第１センサーと、
近接を検出する第２センサーと、を備える電子機器の制御方法であって、
自装置がスタンバイ状態であるとき、前記第１センサーが、近接を検出した後、前記第２センサーが近接を検出した場合、自装置の電源をオンとすることを特徴とする電子機器の制御方法。
【請求項１３】
近接を検出する第１センサーと、
近接を検出する第２センサーと、
制御部と、を備える電子機器の制御プログラムであって、
自装置がスタンバイ状態であるとき、前記第１センサーが近接を検出した後、前記第２センサーが近接を検出した場合、前記制御部に、自装置の電源をオンとさせることを特徴とする電子機器の制御プログラム。
【発明の詳細な説明】
【技術分野】
【０００１】
本発明は、人体に装着されるウェアラブルタイプの電子機器、電子機器の制御方法、及び、電子機器の制御プログラムに関する。
【背景技術】
【０００２】
近年、例えば、腕等の人体に装着されるウェアラブルタイプの電子機器が登場している。このようなウェアラブルタイプの電子機器において、ユーザーが人体に装着した場合、電源が自動的にオンになると、非常に便利である。なお、例えば、携帯端末において、近接センサーと加速度センサーとを用いて、バックライトのオン／オフを制御する発明が存在している（例えば、特許文献１参照。）。
【先行技術文献】
【特許文献】
【０００３】
【特許文献１】特開２０１３−２３２８０４号公報
【発明の概要】
【発明が解決しようとする課題】
【０００４】
しかしながら、従来のウェアラブルタイプの電子機器においては、人体に装着されたときに、自動的に電源がオンとなる電子機器は存在していない。
【０００５】
本発明の目的は、人体に装着されたときに、自動的に電源がオンとなる電子機器を提供することである。
【課題を解決するための手段】
【０００６】
第１の発明の電子機器は、近接を検出する第１センサーと、近接を検出する第２センサーと、自装置がスタンバイ状態であるとき、前記第１センサーが、近接を検出した後、前記第２センサーが近接を検出した場合、自装置の電源をオンとする制御部と、を備えることを特徴とする。
【０００７】
本発明では、制御部は、自装置がスタンバイ状態であるとき、第１センサーが、近接を検出した後、第２センサーが、近接を検出した場合、自装置の電源をオンとする。例えば、電子機器が、ユーザーの首に掛けて用いられるウェアラブルスピーカーである場合、ユーザーが、ウェアラブルスピーカーを首に掛けるとき、異なる位置に設けられている第１センサー及び第２センサーのうち、第１センサーが、近接を検出した後、第２センサーが、近接を検出する。これにより、制御部は、自装置がスタンバイ状態であるとき、自装置の電源をオンとする。従って、本発明によれば、電子機器が人体に装着されたときに、自動的に電子機器の電源をオンとすることができる。
【０００８】
なお、「スタンバイ状態」とは、第１センサーを含む一部の回路等がオンとなっている状態をいう。
【０００９】
第２の発明の電子機器は、第１の発明の電子機器において、前記制御部は、自装置がスタンバイ状態であるとき、前記第１センサーが、近接を検出した後、前記第２センサーが近接を検出し、前記第１センサーが、近接を検出しなくなった場合、自装置の電源をオンとすることを特徴とする。
【００１０】
第３の発明の電子機器は、第１又は第２の発明の電子機器において、略Ｕ字形状の筐体をさらに備えることを特徴とする。
【００１１】
第４の発明の電子機器は、第１〜第３のいずれかの発明の電子機器において、前記第１センサーと、前記第２センサーとは、異なる位置に設けられていることを特徴とする。
【００１２】
第５の発明の電子機器は、第３の発明の電子機器において、前記第１センサーは、前記筐体のいずれか一方の先端側に設けられ、前記第２センサーは、前記筐体の他方の後端側に設けられていることを特徴とする。
【００１３】
本発明では、第１センサーは、略Ｕ字形状の筐体のいずれか一方の先端側に設けられている。また、第２センサーは、略Ｕ字形状の筐体の他方の後端側に設けられている。このため、ユーザーが、電子機器を首に掛けるとき、第１センサーが、首等の近接を検出した後、第２センサーが、首等の近接を検出する。従って、上記の順で近接が検出されることにより、電子機器が首に掛けられたことを判別することができる。
【００１４】
第６の発明の電子機器は、第１〜第５のいずれかの発明の電子機器において、自装置がスタンバイ状態であるとき、前記第１センサーがオンであり、前記第２センサーがオフであり、前記制御部は、自装置がスタンバイ状態であるとき、前記第１センサーが近接を検出した場合、前記第２センサーをオンとすることを特徴とする。
【００１５】
本発明では、自装置がスタンバイ状態であるとき、第２センサーがオフであり、制御部は、第１センサーが近接を検出した場合、第２センサーをオンとする。このように、自装置がスタンバイ状態であるとき、第２センサーをオフとすることで、消費電力を削減することができる。
【００１６】
第７の発明の電子機器は、第１〜第６のいずれかの発明の電子機器において、前記制御部は、自装置の電源がオンであるとき、前記第１センサーが、近接を検出した後、前記第２センサーが近接を検出しなくなった場合に、前記第２センサーをオフとし、自装置をスタンバイ状態とすることを特徴とする。
【００１７】
本発明では、制御部は、自装置の電源がオンであるとき、第１センサーが、近接を検出した後、第２センサーが、近接を検出しなくなった場合に、第２センサーをオフとし、自装置をスタンバイ状態とする。例えば、ユーザーが、電子機器を人体から外せば、第１センサーにより、人体（例えば、人体の一部である首）の近接が検出された後、第２センサーにより、近接が検出されなくなる。これにより、制御部は、自装置の電源がオンであるとき、自装置をスタンバイ状態とする。従って、本発明によれば、電子機器が人体から外されたときに、自動的に電子機器をスタンバイ状態とすることができる。これにより、電子機器が使用されていないときの消費電力を削減することができる。
【００１８】
第８の発明の電子機器は、第７の発明の電子機器において、前記制御部は、自装置の電源がオンであるとき、前記第１センサーが、近接を検出した後、前記第２センサーが、近接を検出せず、前記第１センサーが、近接を検出しなくなった場合に、前記第２センサーをオフとし、自装置をスタンバイ状態とすることを特徴とする。
【００１９】
第９の発明の電子機器は、第１〜第８のいずれかの発明の電子機器において、前記制御部は、前記第１センサー及び前記第２センサーが近接を検出する閾値を設定することを特徴とする。
【００２０】
第１０の発明の電子機器は、第１〜第９のいずれかの発明の電子機器において、人体に装着されるウェアラブルタイプの電子機器であることを特徴とする。
【００２１】
第１１の発明の電子機器は、第１〜第１０のいずれかの発明の電子機器において、首に装着されるウェアラブルタイプの電子機器であるとこを特徴とする。
【００２２】
第１２の発明の電子機器の制御方法は、近接を検出する第１センサーと、近接を検出する第２センサーと、を備える電子機器の制御方法であって、自装置がスタンバイ状態であるとき、前記第１センサーが、近接を検出した後、前記第２センサーが近接を検出した場合、自装置の電源をオンとすることを特徴とする。
【００２３】
第１３の発明の電子機器の制御プログラムは、近接を検出する第１センサーと、近接を検出する第２センサーと、制御部と、を備える電子機器の制御プログラムであって、自装置がスタンバイ状態であるとき、前記第１センサーが近接を検出した後、前記第２センサーが近接を検出した場合、前記制御部に、自装置の電源をオンとさせることを特徴とする。
【発明の効果】
【００２４】
本発明によれば、電子機器が人体に装着されたときに、自動的に電子機器の電源をオンとすることができる。
【図面の簡単な説明】
【００２５】
【図１】本発明の実施形態に係るウェアラブルスピーカーの外観を示す斜視図である。
【図２】本発明の実施形態に係るウェアラブルスピーカーの構成を示すブロック図である。
【図３】近接センサーからの出力を示すグラフである。
【図４】近接センサーからの出力を示すグラフである。
【図５】メインスイッチがオンされた場合のウェアラブルスピーカーの処理動作を示すフローチャートである。
【発明を実施するための形態】
【００２６】
以下、本発明の実施形態について説明する。図１は、本発明の実施形態係るウェアラブルスピーカーの外観を示す斜視図である。図１に示すように、ウェアラブルスピーカー１（電子機器）は、略Ｕ字型の筐体８を備えており、ユーザーの首に装着される。すなわち、ウェアラブルスピーカー１は、ユーザーの首に装着されるウェアラブルタイプのスピーカーである。筐体８は、例えば、樹脂製である。
【００２７】
図２は、本発明の実施形態に係るウェアラブルスピーカーの構成を示すブロック図である。ウェアラブルスピーカー１は、スマートフォン１０１とBluetooth（登録商標）（以下、「ＢＴ」という。）規格に従って、無線通信を行う。図２に示すように、ウェアラブルスピーカー１は、ＳｏＣ（System on Chip）２、増幅部３、スピーカーユニット４、５、近接センサー６、７等を備える。
【００２８】
ＳｏＣ２（制御部）は、ＣＰＵ（Central Processing Unit）、ＤＳＰ（Digital Signal Processor）、メモリ等を有し、ウェアラブルスピーカー１を構成する各部を制御する。また、ＳｏＣ２は、ＢＴ通信機能を備えており、スマートフォン１０１と、ＢＴ無線通信を行う。ＳｏＣ２は、スマートフォン１０１から、例えば、音声信号を受信する。ＳｏＣ２は、スマートフォン１０１から受信した音声信号を、増幅部３に出力する。
【００２９】
増幅部３には、ＳｏＣ２からＩ２Ｓ形式の音声信号が出力される。増幅部３は、音声信号を増幅し、増幅した音声信号をスピーカーユニット４、５に出力する。スピーカーユニット４には、Ｌチャンネルの音声信号が出力される。スピーカーユニット５には、Ｒチャンネルの音声信号が出力される。スピーカーユニット４、５は、音声信号に基づいて、音声を外部に出力する。このように、ウェアラブルスピーカー１は、スマートフォン１０１から出力された音声信号に基づいて、音声を再生する。
【００３０】
近接センサー６（第１センサー）は、衣服等の物体、首等の人体の一部の近接を検出する。図１に示すように、近接センサー６は、筐体８内であって、略Ｕ字形状の筐体８のいずれか一方の先端側（筐体８の端）に設けられている。近接センサー６は、反射型光学式近接センサーであり、赤外線を発光し、反射光により、物体等の近接を検出する。近接センサー６の発光方向は、図１の矢印の向きであり、筐体８の内側である。近接センサー６は、近接を検出する閾値を設定可能であり、ＳｏＣ２は、閾値を設定する。
【００３１】
近接センサー７（第２センサー）は、衣服等の物体、首等の人体の一部の近接を検出する。近接センサー７は、ウェアラブルスピーカー１が首に掛けられた状態で、首に対向する位置であり、筐体８内に設けられる。具体的には、近接センサー６は、筐体８内であって、略Ｕ字形状の筐体８の他方の後端側に設けられている。従って、近接センサー８は、筐体８の中央から横にずれているため、ウェアラブルスピーカー１がユーザーの首に掛けられた状態で、近接センサー７は、首の斜め後ろと対向する。これは、ウェアラブルスピーカー１がどこかにぶら下げる状態になった場合、誤動作することを考慮しているためである。
【００３２】
近接センサー７は、反射型光学式近接センサーであり、赤外線を発光し、反射光により、物体等の近接を検出する。近接センサー７の発光方向は、図１の矢印の向きであり、筐体８の内側である。近接センサー７は、近接を検出する閾値を設定可能であり、ＳｏＣ２は、閾値を設定する。近接センサー６と近接センサー７とは、異なる位置に設けられている。
【００３３】
図３は、ウェアラブルスピーカー１が、ユーザーの首に掛けられ、ユーザーの首から外されるときの近接センサー６、７からの出力を示すグラフである。ユーザーが、ウェアラブルスピーカー１をユーザーの首に掛けるときに、まず、近接センサー６が、首等に近接する。このとき、近接センサー６からの出力値が上昇し、近接センサー６が、近接を検出していることがわかる。その後、近接センサー７が、首等に近接する。このとき、近接センサー７からの出力値が上昇し、近接センサー７が、近接を検出していることがわかる。また、近接センサー６が、首等から離れるため、近接センサー６からの出力値が下降し、近接センサー６が、近接を検出していないことがわかる。
【００３４】
ユーザーが、ウェアラブルスピーカー１をユーザーの首から外されるときに、まず、近接センサー６が、首等に近接する。このとき、近接センサー６からの出力値が上昇し、近接センサー６が、近接を検出していることがわかる。また、近接センサー７が、首等から離れる。このとき、近接センサー７からの出力値が下降し、近接センサー７が、近接を検出してないことがわかる。その後、近接センサー６が、首等から離れる。このとき、近接センサー６からの出力値が下降し、近接センサー６が、近接を検出していないことがわかる。なお、近接センサー６と近接センサー７とは、異なる近接センサーであるため、出力レベルが異なっている。
【００３５】
図４は、近接センサー６があるウェアラブルスピーカー１の端が持たれながら、ウェアラブルスピーカー１が、ユーザーの首に掛けられ、ユーザーの首から外されるときの近接センサー６、７からの出力を示すグラフである。図３と同様に、出力値が変化している。
【００３６】
以下、メインスイッチがオンされた場合のウェアラブルスピーカー１の処理動作を、図４に示すフローチャートに基づいて、説明する。メインスイッチがオンされると、ウェラブルスピーカー１は、スタンバイ状態となる。ここで、「スタンバイ状態」とは、近接センサー６を含む一部の回路等がオンの状態をいう。ウェアラブルスピーカー１において、スタンバイ状態では、近接センサー６は、オンの状態であり、近接センサー７は、オフの状態である。
【００３７】
ＳｏＣ２は、近接センサー６が、近接を検出しているか否かを判断する（Ｓ１）。ＳｏＣ２は、近接センサー６が、近接を検出していないと判断している間は（Ｓ１：Ｎｏ）、Ｓ１の処理を繰り返し実行する。ＳｏＣ２は、近接センサー６が、近接を検出したと判断した場合（Ｓ１：Ｙｅｓ）、近接センサー７をオンとする（Ｓ２）。次に、ＳｏＣ２は、１秒待機する（Ｓ３）。
【００３８】
次に、ＳｏＣ２は、近接センサー７が、近接を検出しているか否かを判断する（Ｓ７）。ＳｏＣ２は、近接センサー７が、近接を検出していないと判断した場合（Ｓ４：Ｎｏ）、近接センサー７をオフとする（Ｓ５）。次に、ＳｏＣ２は、Ｓ１の処理を行う。ＳｏＣ２は、近接センサー７が、近接を検出していると判断した場合（Ｓ４：Ｙｅｓ）、近接センサー６が、近接を検出しているか否かを判断する（Ｓ６）。ＳｏＣ２は、近接センサー６が、近接を検出していると判断した場合（Ｓ６：Ｙｅｓ）、ウェアラブルスピーカー１が、首に掛けられている状態ではないため、Ｓ４の処理を実行する。ＳｏＣ２は、近接センサー６が、近接を検出していないと判断した場合（Ｓ６：Ｎｏ）、ウェアラブルスピーカー１が、首に掛けられている状態であるため、ウェアラブルスピーカー１の電源をオンする（Ｓ７）。
【００３９】
ウェアラブルスピーカー１の電源がオンの状態において、ＳｏＣ２は、近接センサー６が、近接を検出しているか否かを判断する（Ｓ８）。ＳｏＣ２は、近接センサー６が、近接を検出していないと判断している間は（Ｓ８：Ｎｏ）、ウェアラブルスピーカー１が、首に掛けられた状態であるため、Ｓ８の処理を繰り返し実行する。ＳｏＣ２は、近接センサー６が、近接を検出していると判断した場合（Ｓ８：Ｙｅｓ）、ウェアラブルスピーカー１が、首から外されている可能性があるため、近接センサー７が、近接を検出しているか否かを判断する（Ｓ９）。ＳｏＣ２は、近接センサー７が、近接を検出していると判断した場合（Ｓ９：Ｙｅｓ）、ウェアラブルスピーカー１が、首に掛けられた状態であるため、Ｓ８の処理を実行する。
【００４０】
ＳｏＣ２は、近接センサー７が、近接を検出していないと判断した場合（Ｓ９：Ｎｏ）、ウェアラブルスピーカー１が、首から外されている可能性があるため、近接センサー６が、近接を検出しているか否かを判断する（Ｓ１０）。ＳｏＣ２は、近接センサー６が、近接を検出していると判断した場合（Ｓ１０：Ｙｅｓ）、ウェアラブルスピーカー１が、首から外されている途中であるため、Ｓ８の処理を実行する。ＳｏＣ２は、近接センサー６が、近接を検出していないと判断した場合（Ｓ１０：Ｎｏ）、ウェアラブルスピーカー１が、首から外されている状態であるため、近接センサー７をオフとし、さらに、ウェアラブルスピーカー１をスタンバイ状態とする（Ｓ１１）。
【００４１】
以上説明したように、本実施形態では、ＳｏＣ２は、ウェアラブルスピーカー１がスタンバイ状態であるとき、近接センサー６が、近接を検出した後、近接センサー７が、近接を検出した場合、ウェアラブルスピーカー１の電源をオンとする。ユーザーが、ウェアラブルスピーカーを首に掛けるとき、異なる位置に設けられている近接センサー６、７のうち、近接センサー６が、近接を検出した後、近接センサー７が、近接を検出する。これにより、ＳｏＣ２は、ウェアラブルスピーカー１がスタンバイ状態であるとき、ウェアラブルスピーカー１の電源をオンとする。従って、本実施形態によれば、ウェアラブルスピーカー１が人体に装着されたときに、自動的にウェアラブルスピーカー１の電源をオンとすることができる。
【００４２】
また、本実施形態では、近接センサー６は、略Ｕ字形状の筐体８のいずれか一方の先端側に設けられている。また、近接センサー７は、略Ｕ字形状の筐体の他方の後端側に設けられている。このため、ユーザーが、ウェアラブルスピーカー１を首に掛けるとき、近接センサー６が、首等の近接を検出した後、近接センサー７が、首等の近接を検出する。従って、上記の順で近接が検出されることにより、ウェアラブルスピーカー１が首に掛けられたことを判別することができる。
【００４３】
また、本実施形態では、ウェアラブルスピーカー１がスタンバイ状態であるとき、近接センサー７がオフであり、ＳｏＣ２は、近接センサー６が近接を検出した場合、近接センサー７をオンとする。このように、ウェアラブルスピーカー１がスタンバイ状態であるとき、近接センサー７をオフとすることで、消費電力を削減することができる。
【００４４】
また、本実施形態では、ＳｏＣ２は、ウェアラブルスピーカー１の電源がオンであるとき、近接センサー６が、近接を検出した後、近接センサー７が、近接を検出しなくなった場合に、近接センサー７をオフとし、ウェアラブルスピーカー１をスタンバイ状態とする。例えば、ユーザーが、ウェアラブルスピーカー１を人体から外せば、近接センサー６により、人体（例えば、人体の一部である首）の近接が検出された後、近接センサー７により、近接が検出されなくなる。これにより、ＳｏＣ２は、ウェアラブルスピーカー１の電源がオンであるとき、ウェアラブルスピーカー１をスタンバイ状態とする。従って、本実施形態によれば、ウェアラブルスピーカー１が人体から外されたときに、自動的にウェアラブルスピーカー１をスタンバイ状態とすることができる。これにより、ウェアラブルスピーカー１が使用されていないときの消費電力を削減することができる。
【００４５】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４６】
上述の実施形態においては、ＳｏＣ２が、近接センサー６、７を制御し、近接センサー６による近接の検出に基づいて、近接センサー７のオン／オフ、また、近接センサー６による近接の検出、近接センサー７による近接の検出に基づいて、ウェアラブルスピーカー１の電源制御等を行っている。これに限らず、ＳｏＣ２とは、別のマイクロコンピューター等が上記制御を行ってもよいし、マイクロコンピューター等とＳｏＣ２とが協同して、上記制御を行ってもよい。
【００４７】
上述の実施形態では、人体に装着されるウェアラブルタイプの電子機器として、首に装着されるウェアラブルスピーカー１を例示した。これに限らず、腕に装着される腕時計型のウェアラブルタイプの電子機器であってもよい。また、耳に装着されるヘッドセット、イヤホン、ヘッドホン型のウェアラブルタイプの電子機器であってもよい。
【００４８】
上述の実施形態では、近接を検出するセンサー（第１センサー、第２センサー）として、近接センサー７を例示した。これに限らず、照度センサー等、近接を検出する他のセンサーであってもよい。
【産業上の利用可能性】
【００４９】
本発明は、人体に装着されるウェアラブルタイプの電子機器、電子機器の制御方法、及び、電子機器の制御プログラムに好適に採用され得る。
【符号の説明】
【００５０】
１  ウェアラブルスピーカー（電子機器）
２  ＳｏＣ（制御部）
６  近接センサー（第１センサー）
７  近接センサー（第２センサー）
８  筐体
【図１】
2020127119.tif 000003
【図２】
2020127119.tif 000004
【図３】
2020127119.tif 000005
【図４】
2020127119.tif 000006
【図５】
2020127119.tif 000007